(57)【要約】      （修正有）【課題】日中であっても表示像の視認性がよい表示装置を提供する。【解決手段】文字板と、文字板の指標部を背後から照明する光源と、を備え、光源によって照明された指標部の表示像の表示光を反射部材に入射させて表示像を表示する表示装置であって、文字板は、光透過性の板材と、板材に配置される着色部と、着色部の少なくとも一部の前面側に配置される高反射部と、高反射部の少なくとも一部の前面側に配置される遮光部と、を備え、指標部は、遮光部に形成した開口によって形成されているので、文字板は、自然光などの外光が、遮光層が施されていない開口箇所（指標部を表す箇所）を通過し、高反射層によって反射部材３へ反射された指標部の虚像２２０Ｖが利用者へ反射されるため、指標部の視認性が向上する。【選択図】図２
2016033466.tif 000002
【特許請求の範囲】
【請求項１】
指針によって指示される指標部を有する文字板と、
前記文字板の指標部を背後から照明する光源と、を備え、
前記光源によって照明された前記指標部の表示像の表示光を反射部材に入射させて前記表示像を表示する表示装置であって、
前記文字板は、光透過性の板材と、
前記板材に配置される着色部と、
前記着色部の少なくとも一部の前面側に配置される高反射部と、
前記高反射部の少なくとも一部の前面側に配置される遮光部と、を備え、
前記指標部は、前記遮光部に形成した開口によって形成されていることを特徴とする表示装置。
【請求項２】
前記指針は、前記反射部材に向かって反射するように指針用高反射部が配置されていることを特徴とする請求項１に記載の表示装置。
【請求項３】
前記高反射部は、再帰反射性を有していることを特徴とする請求項１又は２に記載の表示装置。
【発明の詳細な説明】
【技術分野】
【０００１】
本発明は、表示装置に関し、特に、ヘッドアップディスプレイ装置などの反射部材に表示像を反射させて表示する虚像表示装置に関する。
【背景技術】
【０００２】
ヘッドアップディスプレイ（Head-Up Display；ＨＵＤ）装置として、例えば、特許文献１に開示されたものが知られている。このＨＵＤ装置は、アナログ式計器本体に設けられた指針と、指針の後方に配置される文字板と、コンバイナと、を備え、アナログ式計器の表示像をコンバイナに向け反射させ、コンバイナにより前記表示像を虚像としてユーザに視認させるものである。このようなＨＵＤ装置は、例えば、車両のダッシュボード上に設けられており、主に運転者であるユーザに、前方風景に重ねるようにして車速、走行距離等の表示情報を視認させることができるように構成されている。
【特許文献１】特開平４−３０３７１０号公報
【発明の開示】
【発明が解決しようとする課題】
【０００３】
特許文献１に係るＨＵＤ装置では、自発光式の指針式計器の指針、文字板に様々な偏光板を組み合わせているため、構造が複雑になってしまうという問題点があった。また、外光に対する視認性に改善の余地があった。
【０００４】
そこで本発明は、上記実情に鑑みてなされたものであり、構造が簡素であると共に、外光に対する視認性がよい表示装置を提供することを目的とする。
【課題を解決するための手段】
【０００５】
上記目的を達成するため、本発明に係る表示装置は、
指針によって指示される指標部を有する文字板と、
前記文字板の指標部を背後から照明する光源と、を備え、
前記光源によって照明された前記指標部の表示像の表示光を反射部材に入射させて前記表示像を表示する表示装置であって、
前記文字板は、光透過性の板材と、
前記板材に配置される着色部と、
前記着色部の少なくとも一部の前面側に配置される高反射部と、
前記高反射部の少なくとも一部の前面側に配置される遮光部と、を備え、
前記指標部は、前記遮光部に形成した開口によって形成されていることを特徴とする。
【０００６】
また、前記指針は、前記反射部材に向かって反射するように指針用高反射層が配置されている。
【０００７】
また、前記高反射部は、再帰反射性を有している。
【発明の効果】
【０００８】
本発明によれば、日中であっても表示像の視認性がよい表示装置を提供することができる。
【図面の簡単な説明】
【０００９】
【図１】本発明の実施形態に係る表示装置の平面図である。
【図２】図１に示す表示装置の非点灯時の平面図である。
【図３】図１に示す表示装置のＣ−Ｃ断面図である。
【図４】図１に示す文字板の断面図である。
【図５】図１に示す文字板の変形例を示した断面図である。
【発明を実施するための最良の形態】
【００１０】
本発明の表示装置を車速やエンジン回転数を表示するヘッドアップディスプレイ装置に基づいて説明する。
【００１１】
図１は、ヘッドアップディスプレイ装置の全体構成を示している。表示装置Ａは車両のダッシュボード（支持面）Ｂ上に配設されるものであり、ハウジング１と、ハウジング１内に配設され表示像Ｖの表示光Ｌを発する表示器２と、ハウジング１上に配設されるコンバイナ（反射部材）３と、を備えるものである。
【００１２】
ハウジング１は、ＡＢＳ等の樹脂材料からなる上ケース１ａと下ケース１ｂとによって構成されており、上ケース１ａと下ケース１ｂとはネジ部１ｃによって固定されている。また、ハウジング１は、内部に表示器２を収納している。
【００１３】
表示器２は、指針２１と、指針２１によって指示される指標部２２０を有する文字板２２と、文字板２２を背後から照明することによって表示像Ｖを表す表示光Lを出射する光源２３と、光源２３が配置される回路基板２４と、表示器２の前面側を覆う前面パネル２５と、計器本体２６と、を備えている。本実施形態においては、指針２１と文字板２２を照明する光源を共通の光源２３として説明するが、指針２１と文字板２２を照明することが可能であれば、光源は、指針２１と文字板２２とを別々に照明するように設けてもよい。
【００１４】
指針２１は、不透光性の樹脂材料からなる連結部材２１１と、光透過性の樹脂材料からなる指示部材２１２と、不透光性である黒色の樹脂材料からなる円形の逆カップ状である指針キャップ２１３と、から主に構成されている。
【００１５】
指示部材２１２は、光透過性の樹脂材料からなり、文字板２２の指標部２２０を指示し、その裏面に赤色箔などがホットプリントされた指針用着色部２１２ａと、指示部２１２ａと連続して形成され、指示部材２１２の回動中心付近において連結部材２１１に装着される回転基部（図示せず）とから構成される。また、指示部材２１２の表面には、太陽光などの外光を効率よく反射するための白色やミラー印刷などの指針用高反射層２１２ｂが配置されている。
【００１６】
計器本体２６は、指針２１を回動するための駆動源となるムーブメントを適用でき、回路基板２４に固定保持される。また、計器本体２６は、回路基板２４に搭載された図示しない制御回路と接続し、この制御回路からの信号によって計測値の変化に応じて、指針軸２６ａを回動させることができる。
【００１７】
文字板２２は、図４に示すように、光透過性の板材２２ａと、板材２２ａの背面側（光源２３側）の表面に形成される拡散層２２ｂと、拡散層２２ｂの前面側で、板材２２ａの前面側（指針２１側）の表面に形成される着色層２２ｃと、着色層２２ｃの少なくとも一部の前面側に形成される高反射層２２ｄと、高反射層２２ｄの少なくとも一部の前面側に形成される遮光層２２ｅと、遮光層２２ｅの前面側に形成される低反射層２２ｆとによって構成されている。
【００１８】
拡散層２２ｂは、板材２２ａの表面に乳白色のインクを用いたシルクスクリーン印刷などにより形成され、光源２３の光を拡散するためのものである。本実施形態では、板材２２ａの表面であって裏面側に形成されているが、板材２２ａの表面側であってもよい。また、印刷層ではなくて、シボ加工などによる表面処理加工でもよい。
【００１９】
着色層２２ｃは、板材２２ａの表面側に着色されたインクが形成され、文字板２２における指標部２２０を着色するものである。また、着色層２２ｃは、例えば白色や赤色などによって形成され照明光が透過する構成となっている。また、着色層２２ｃは、指標部２２０に対応した箇所に印刷が施されていればよく、ベタ印刷でなくてもよい。
【００２０】
高反射層２２ｄは、着色層２２ｃの前面側に形成された光透過性のミラーインク層からなり、指標部２２０に対応した箇所に配設されている。また、高反射層２２ｄは、光の入射角と出射角が同じガラスビーズなどを使用した再帰反射性を有したインクによって形成されていてもよい。また、高反射層２２ｄは、指標部２２０に対応した箇所に印刷が施されていればよく、ベタ印刷でなくてもよい。
【００２１】
遮光層２２ｅは、例えば、遮光性を有するインクをシルクスクリーン印刷することによって形成し、高反射層２２ｄの表面側に形成され、光源２３の点灯時において照明光が透過する領域（指標部２２０）を定める開口を有するものであり、例えば黒色やスモーク材などの地色からなり、照明光を透過しない構成であったり、若干の透過が可能な構造となっている。
【００２２】
低反射層２２ｆは、艶消しインク層であり、板材２２ａの表面であって、遮光層２２ｅの輪郭とほぼ同じ面積の開口を除いた箇所に形成される。
【００２３】
このような構成において、文字板２２は、自然光などの外光を受けると、遮光層２２ｅの部分的に印刷が施されていない開口箇所（指標部２２０を表す箇所）を通過した光が高反射層２２ｄによって反射されるため、指標部２２０の視認性が向上する。特に、ガラスビーズなどを使用した再帰反射性を有したインクを用いることによって、文字板２２の指標部２２０以外の箇所とのコントラストが強調されるので、更に視認性が向上する。
【００２４】
コンバイナ３は、例えばアクリル等の透光性樹脂に半透過反射層が成膜する表面処理をしてなるものであり、表示器２の上方に位置するようにハウジング１の上ケース１ａに配設固定され、表示器２からの表示光Ｌを利用者の視点Ｄに向けて反射する。表示光Ｌが利用者の視点Ｄに反射されると、利用者は虚像である表示像Ｖ（指針虚像２１Ｖや文字板虚像２２Ｖなど）と風景とを重ねて視認することができる。
【００２５】
また、表示装置Ａは、シート状の接着部材（図示しない）を介してダッシュボードＢと接合し、表示装置ＡをダッシュボードＢ上に配置するための略平板上の取付部４を備える。
【００２６】
取付部４の一方の端部には、連結部５が下ケース１ｂの裏面部１ｅの中央部よりも外側に位置する軸部４ａを中心として回動可能に配設されており、取付部４は連結部５を介してハウジング１の下ケース１ｂの裏面部１ｅに配設されている。連結部５は、下ケース１ｂの突出部１ｆに対応して形成される孔部５ａを備え、孔部５ａに突出部１ｆが嵌入されている。また、突出部１ｆ及び連結部５は孔部５ａを覆うように配設される固定部６によって支持されており、固定部６はネジ部６ａによって突出部１ｆ及び連結部５を支持した状態にて固定されている。固定部６は、突出部１ｆ及び連結部５を支持することによって連結部５が配設位置から外れることを防止している。
【００２７】
このように、本発明は、指針２１によって指示される指標部２２０を有する文字板２２と、文字板２２の指標部２２０を背後から照明する光源２３と、を備え、光源２３によって照明された指標部２２０の表示像Ｖの表示光Ｌを反射部材３に入射させて表示像Ｖを表示する表示装置であって、文字板２２は、光透過性の板材２２ａと、板材２２ａに配置される着色部２２ｃと、着色部２２ｃの少なくとも一部の前面側に配置される高反射部２２ｄと、高反射部２２ｄの少なくとも一部の前面側に配置される遮光部２２ｅと、を備え、指標部２２０は、遮光部２２ｅに形成した開口によって形成されているので、文字板２２は、自然光などの外光が、遮光層２２ｅが施されていない開口箇所（指標部２２０を表す箇所）を通過し、高反射層２２ｄによって反射部材３へ反射された指標部２２０の虚像２２０Ｖが利用者Ｄへ反射されるため、指標部２２０の視認性が向上する。
【００２８】
また、本発明は、指針２１は、反射部材３に向かって反射するように高反射層２１２ｂが配置されていることによって、指針２１は、自然光などの外光が、指示部２１２ａの表面に形成された指針用高反射層２１２ｄによって反射部材３へ反射された指針２１の虚像２１Ｖが利用者Ｄへ反射されるため、指針２１の視認性が向上する。
【００２９】
また、本発明は、高反射部２２ｄは、再帰反射性を有していることによって、指標部２２０と文字板２２の指標部２２０以外の箇所とのコントラストが強調されるので、更に視認性が向上する。
【００３０】
なお、本実施形態では、板材２２ａの利用者Ｄ側に拡散層２２ｂ以外の印刷層が積層された例を説明したが、図５に示すように、高反射層２２ｄによって外光が反射されるのであれば、板材２２ａの光源２３側に低反射層２２ｆ以外の印刷層が積層されていてもよい。
【００３１】
以上の説明では、本発明の理解を容易にするために、重要でない公知の技術的事項の説明を適宜省略した。
【符号の説明】
【００３２】
１      ハウジング
２      表示器
３      コンバイナ（反射部材）
１ａ    上ケース
１ｂ    下ケース
２１    指針
２２    文字板
２３    光源
２２ａ  板材
２２ｂ  拡散板
２２ｃ  着色層（着色部）
２２ｄ  高反射層（高反射部）
２２ｅ  遮光層（遮光部）
２２ｆ  低反射層（低反射部）
２１２ｂ  高反射層（指針用高反射部）
２２０  指標部
【図１】
2016033466.tif 000003
【図２】
2016033466.tif 000004
【図３】
2016033466.tif 000005
【図４】
2016033466.tif 000006
【図５】
2016033466.tif 000007